【手続補正書】
【提出日】平成18年10月10日(2006.10.10)
【手続補正１】
【補正対象書類名】明細書
【補正対象項目名】特許請求の範囲
【補正方法】変更
【補正の内容】
【特許請求の範囲】
【請求項１】  重合条件下で、オレフィン及び／又はオレフィンと少なくとも１種又はそれ以上の他のオレフィン（群）とを、少なくとも１種の遷移金属を含む成分及び少なくとも１種の有機金属化合物を含む助触媒から構成された少なくとも１種のチーグラー−ナッタ触媒並びにテトラヒドロフランと接触させることを含んでなり、テトラヒドロフランが、重合媒体中の静電荷を減少させるのに十分な量で存在する、オレフィン及び／又はオレフィンと少なくとも１種又はそれ以上の他のオレフィン（群）との重合方法。
【請求項２】  少なくとも１種の有機金属助触媒化合物が、式
Ｘn ＥＲ3-n 
（式中、Ｘは、水素、フッ素、塩素、臭素及びヨウ素から選択された、ハロゲン又はハロゲンの混合物であり、ｎは０〜２の範囲内であり、Ｅは、元素周期表の第１３族からの元素であり、そして、Ｒは、炭素又は酸素結合により第１３族元素に連結された、１〜１００個の炭素原子及び０〜１０個の酸素原子を有する炭化水素基である）
を有する化合物である請求項１に記載の方法。
【請求項３】  有機金属助触媒化合物が、トリアルキルアルミニウム、ジアルキルアルミニウムハライド及びアルキルアルミニウムセスキハライドからなる群から選択される請求項２に記載の方法。
【請求項４】  トリアルキルアルミニウムが、トリメチルアルミニウム及びトリエチルアルミニウムからなる群から選択される請求項３に記載の方法。
【請求項５】  ハロゲン化炭化水素を重合媒体に添加することを更に含む請求項１に記載の方法。
【請求項６】  ハロゲン化炭化水素がクロロホルムである請求項５に記載の方法。
【請求項７】  少なくとも１種の遷移金属が、本明細書で定義した元素周期表の第４族、第５族、第６族、第７族、第８族、第９族及び第１０族から選択される請求項１に記載の方法。
【請求項８】  金属がチタン、ジルコニウム、バナジウム及びクロムからなる群から選択される請求項７に記載の方法。
【請求項９】  金属がチタンである請求項８に記載の方法。
【請求項１０】  チーグナー−ナッタ触媒に含まれたマグネシウム及び塩素を更に存在させてなる請求項１に記載の方法。
【請求項１１】  チーグラー−ナッタ触媒に含まれた内部電子供与体を更に存在させてなる請求項１に記載の方法。
【請求項１２】  チーグラー−ナッタ触媒の少なくとも１種の遷移金属並びに／又は少なくとも１種の遷移金属及び少なくとも１種の有機金属助触媒化合物が、担体上に担持されている請求項１に記載の方法。
【請求項１３】  担体が、シリカ、アルミナ及びこれらの混合物からなる群から選択される請求項１２に記載の方法。
【請求項１４】  ハロゲン化炭化水素を、０．００１：１〜１００：１の範囲内の、ハロゲン化炭化水素の、チーグラー−ナッタ触媒の遷移金属成分に対するモル比で添加する請求項５に記載の方法。
【請求項１５】  有機金属助触媒化合物を、０．５：１〜１００：１の範囲内の、助触媒の、チーグラー−ナッタ触媒の遷移金属成分に対するモル比で添加する請求項１に記載の方法。
【請求項１６】  テトラヒドロフランを、０．０１：１〜１００：１の範囲内の、テトラヒドロフランの、チーグラー−ナッタ触媒の遷移金属成分に対するモル比で添加する請求項１に記載の方法。
【請求項１７】  テトラヒドロフランの、チーグラー−ナッタ触媒の遷移金属成分に対するモル比が、０．１：１〜５０：１の範囲内である請求項１６に記載の方法。
【請求項１８】  重合媒体が気相である請求項１に記載の方法。
【請求項１９】  チーグラー−ナッタ触媒がチタン、マグネシウム及び塩素からなる請求項１に記載の方法。
【請求項２０】  重合媒体中で、少なくとも１種の遷移金属を含む成分及び少なくとも１種の有機金属化合物を含む助触媒から構成された少なくとも１種のチーグラー−ナッタ触媒の存在下に、オレフィン及び／又はオレフィンと少なくとも１種又はそれ以上の他のオレフィン（群）とを重合させる際に発生する静電荷を減少させる方法であって、重合媒体の中に、テトラヒドロフランを、重合媒体中の静電荷を減少させるのに十分な量で導入することを含んでなる方法。
【請求項２１】  少なくとも１種の有機金属助触媒化合物が、式
Ｘn ＥＲ3-n 
（式中、Ｘは、水素、フッ素、塩素、臭素及びヨウ素から選択されたハロゲン又はハロゲンの混合物であり、ｎは０〜２の範囲内であり、Ｅは、元素周期表の第１３族からの元素であり、そして、Ｒは、炭素又は酸素結合により第１３族元素に連結された、１〜１００個の炭素原子及び０〜１０個の酸素原子を含む炭化水素基である）
を有する化合物又はこれらの混合物である請求項２０に記載の方法。
【請求項２２】  有機金属助触媒化合物が、トリアルキルアルミニウム、ジアルキルアルミニウムハライド及びアルキルアルミニウムセスキハライドからなる群から選択される請求項２１に記載の方法。
【請求項２３】  トリアルキルアルミニウムが、トリメチルアルミニウム及びトリエチルアルミニウムからなる群から選択される請求項２２に記載の方法。
【請求項２４】  ハロゲン化炭化水素を重合媒体に添加することを更に含む請求項２０に記載の方法。
【請求項２５】  ハロゲン化炭化水素がクロロホルムである請求項２４に記載の方法。
【請求項２６】  少なくとも１種の遷移金属が、本明細書で定義した元素周期表の第４族、第５族、第６族、第７族、第８族、第９族及び第１０族から選択される請求項２０に記載の方法。
【請求項２７】  金属がチタン、ジルコニウム、バナジウム及びクロムからなる群から選択される請求項２６に記載の方法。
【請求項２８】  金属がチタンである請求項２７に記載の方法。
【請求項２９】  チーグナー−ナッタ触媒に含まれたマグネシウム及び塩素を更に存在させてなる請求項２０に記載の方法。
【請求項３０】  チーグラー−ナッタ触媒に含まれた内部電子供与体を更に存在させてなる請求項２０に記載の方法。
【請求項３１】  チーグラー−ナッタ触媒の少なくとも１種の遷移金属並びに／又は少なくとも１種の遷移金属及び少なくとも１種の有機金属助触媒化合物が、担体上に担持されている請求項２０に記載の方法。
【請求項３２】  担体が、シリカ、アルミナ及びこれらの混合物からなる群から選択される請求項３１に記載の方法。
【請求項３３】  ハロゲン化炭化水素を、０．００１：１〜１００：１の範囲内の、ハロゲン化炭化水素の、チーグラー−ナッタ触媒の遷移金属成分に対するモル比で添加する請求項２４に記載の方法。
【請求項３４】  有機金属助触媒化合物を、０．５：１〜１００：１の範囲内の、助触媒の、チーグラー−ナッタ触媒の遷移金属成分に対するモル比で添加する請求項２０に記載の方法。
【請求項３５】  ＴＨＦを、０．０１：１〜１００：１の範囲内の、ＴＨＦの、チーグラー−ナッタ触媒の遷移金属成分に対するモル比で添加する請求項２０に記載の方法。
【請求項３６】  ＴＨＦの、チーグラー−ナッタ触媒の遷移金属成分に対するモル比が、０．１：１〜５０：１の範囲内である請求項３５に記載の方法。
【請求項３７】  重合媒体が気相である請求項２０に記載の方法。
【請求項３８】  チーグラー−ナッタ触媒がチタン、マグネシウム及び塩素からなる請求項２０に記載の方法。
【請求項３９】  請求項１に記載の方法により製造されたポリオレフィンから二次加工されたフィルム。
【請求項４０】  請求項１に記載の方法により製造されたポリオレフィンから二次加工された物品。